(57)【要約】【課題】単純にカード上の表示で挨拶や祝意を表すだけでなく、携帯電話などのネットワーク通信を利用して各種の情報のプレゼントを行え、しかもコストも安いグリーティングカードを提供する。【解決手段】所望の図柄とメッセージ文言を表示したカード本体の一部に、コンテンツ配信者のアドレスとＩＤナンバーを記載したプレゼント表示部を設け、このプレゼント表示部を所望の形状をかたどった再接着不能な隠蔽片で隠蔽している。【選択図】図２
0003108928.tif 000002
【実用新案登録請求の範囲】
【請求項１】
所望の図柄とメッセージ文言を表示したカード本体の一部に、コンテンツ配信者のアドレスとＩＤナンバーを記載したプレゼント表示部を設け、このプレゼント表示部を所望の形状をかたどった再接着不能な隠蔽片で隠蔽していることを特徴とするグリーティングカード。
【請求項２】
前記プレゼント表示部はカード本体の表に面する部分以外の部位に設けられている請求項１に記載のグリーティングカード。
【請求項３】
プレゼント表示部は使用説明の記載部分を有している請求項１に記載のグリーティングカード。
【請求項４】
プレゼントするコンテンツは、着信メロディーで代表される音楽情報、動画、映画などで代表されるで代表される画像情報、ゲーム、占いなどの情報のいずれかである請求項１に記載のグリーティングカード。
【考案の詳細な説明】
【技術分野】
【０００１】
本考案はグリーティングカードに関する。
【背景技術】
【０００２】
グリーティングカードは、クリスマス、正月、バレンタインデーなどの季節の挨拶、誕生、卒業、就職、結婚などの各種記念の祝意を表す手段として盛んに用いられている。
【０００３】
こうしたカードは通常、紙などの基材が用いられ、さまざまな装飾を印刷的手法で施しているが、従来のものは、カードに表された文言や図柄で挨拶や祝意の表現が完結していたので、今ひとつインパクトが乏しく、商品価値を高くできなかった。
【考案の開示】
【考案が解決しようとする課題】
【０００４】
本考案は前記のような問題点を解消するためになされたもので、その目的とするところは、単純にカード上の表示で挨拶や祝意を表すだけでなく、携帯電話などのネットワーク通信を利用して各種の情報のプレゼントを行え、しかもコストも安いグリーティングカードを提供することにある。
【課題を解決するための手段】
【０００５】
上記目的を達成するため本考案は、所望の図柄とメッセージ文言を表示したカード本体の一部に、コンテンツ配信者のアドレスとＩＤナンバーを記載したプレゼント表示部を設け、このプレゼント表示部を所望の形状をかたどった再接着不能な隠蔽片で隠蔽していることを特徴としている。
【考案の効果】
【０００６】
本考案によるときには、カードの受取者はカード本体の装飾用図柄とメッセージ文言を視認して楽しむことができる。このときに隠蔽片はツリー、ハートなど任意の形状にすることができるので、剥がす前は装飾部材として機能させることができる。
隠蔽片を剥がせば、プレゼント表示部が露出され、ここに記載されているコンテンツ配信者のアドレスとＩＤナンバーにしたがって携帯電話などによりアクセスすることにより、所望の聴覚的、視覚的な情報をダウンロードすることができるので、紙質材料の安価なカードでありながら、メッセージ性が高くインパクトの強いグリーティングカードとすることができるというすぐれた効果が得られる。
【考案を実施するための最良の形態】
【０００７】
前記プレゼント表示部はカード本体の表に面する部分以外の部位に設けられている。
これによれば、プレゼント表示部の隠蔽が不等に解除され内容が盗み取られることを防止することができる。
プレゼント表示部は使用説明の記載部分を有している。
これによれば、始めて本カードを受取った者が容易かつ確実にプレゼントされたコンテンツをダウンロードすることができ、また、隠蔽片を取らない限り使用法が他のカード面に現れていないので体裁がよいとともに、取り扱い説明のシート類をカードに別途添付する必要がないので、コストも抑えることができる。
プレゼントするコンテンツには、着信メロディーで代表される音楽情報、動画、映画、などで代表されるで代表される画像情報、ゲーム、占いなどの情報を含んでいる。
【実施例１】
【０００８】
以下本考案の実施例を添付図面を参照して説明する。
図１ないし図４は本考案を着信メロディープレゼント付のクリスマスカードに適用した一実施例を示している。
１は紙などのカード基材からなる２つ折りタイプのカード本体であり、中央部の折り線１００を介して第1片部1ａと第2片部1ｂが連設されており、少なくとも第1片部と第2片部の表側面１０には、図1のように装飾図柄16とメッセージ1７が印刷的手法で表示されている。
また、第1片部１ａと第2片部１ｂの裏側面１１すなわち２つ折の状態から開披したときに内面となる側には、図２と図３のように装飾図柄1９やメッセージ1８が印刷的手法で表示されているほか、図３のように所望の輪郭のプレゼント表示部２が設けられている。また、プレゼント表示部２の近傍には、何をプレゼントするのかを表したコンテンツ名表示部３が印刷されている。これにより、カードの贈呈者と受取者が誤りなく目的のプレゼントを授受することができる。
【０００９】
前記プレゼント表示部２には、コンテンツ配信者と接続するためのコンテンツ配信者アドレス20と、接続後にコンテンツから希望の情報を選択するためのＩＤナンバー２１が印刷されている。ＩＤナンバーはシリアルナンバー、パスワードなどを含む。
プレゼント表示部２には、さらに、たとえば「携帯でアクセスすると着信メロディーがもらえるよ」といったプレゼントの概要説明２２と、ダウンロード方法ないし手順などの使用説明２３が記載されている。
【００１０】
この使用説明２３は、たとえば、携帯電話機で上記アドレスにメールを送信し、返信されるメールに記載されているＵＲＬにアクセスすること、画面の説明に従い、ＩＤナンバーを入力し、希望する着信メロディーを選んでダウンロードすることといった内容である。
そして、前記プレゼント表示部２は、図２のように所望の輪郭（この例ではクリスマスツリー形状）をかたどった剥離紙からなる再接着不能な隠蔽片(シール片)４で隠蔽され、常態においてはプレゼント表示部２がどのようなものか外部からわからないようになっている。
【実施例２】
【００１１】
図４ないし図６は本考案の第２実施例を示している。この実施例ででは第1片部1ａと第2片部1ｂの裏側面11の1方に装飾図柄1９やメッセージ1８が設けられ、裏側面11の他方にプレゼント表示部２が設けられ、ここに再接着不能な隠蔽片４が貼着されている。
この実施例では、コンテンツ名表示部３が隠蔽片４の表面に印刷されている。
他の構成は第１実施例と同様であるから、同じ箇所に同じ符号を付し、説明は省略する。
【００１２】
図７と図８は本考案の第３実施例を示しており、この例ではカード本体１が矩形でなく、箱状のプレゼントを模した形状となっており、透明な包装袋５に挿入、密封されている。これは、先の第１、第２実施例も同様である。
第1片部1ａと第2片部1ｂの裏側面11に、ハート輪郭状のプレゼント表示部２が設けられ、ここに、コンテンツ配信者と接続するためのコンテンツ配信者アドレス20と、接続後にコンテンツから希望の情報を選択するためのＩＤナンバー２１と、ダウンロード方法ないし手順などの使用説明２３が記載されている。
そして、プレゼント表示部２に、ハート形状の再接着不能な隠蔽片４が貼着されている。
他の構成は第１実施例と同様であるから、同じ箇所に同じ符号を付し、説明は省略する。
【００１３】
本考案は実施例に示したものに限定されず、種々の態様を採用し得る。
１)プレゼント対象は、インターネットを通じてダウンロード可能な各種情報であり、着信メロディーで代表される音楽に限らず、動画、映画などで代表される画像情報、あるいは占い、ゲームなどの情報を含む。
２）カード本体は２つ折り以上であることが好ましく、その場合、第1片部1ａと第2片部1ｂの裏側面１１が再接着不能に隠蔽シールされたタイプであってもかまわない。また、単純な平面的なカードに限らず、ポップアップ型のカードであってもよい。
【００１４】
本考案の作用を第１実施例を例にとって説明すると、２つ折り状態のカード本体１は常態において２つ折りされており、この状態での内面側に隠蔽片４で隠されたプレゼント表示部２があるので、みだりに隠蔽片４を剥がされてプレゼント表示部２の記載が読み取られることがなく、さらに、包装体に装填密閉されているので安全である。
【００１５】
受取者は、カード本体１を図２のように開披することにより、メッセージや図柄を目で楽しむことができるが、裏側面１１にコンテンツ名表示部３があるので、プレゼント付であることを的確に認識でき、誤ってコンテンツをダウンカードをロードせずにカードを捨ててしまうことが防止される。
隠蔽片４を剥離すれば、プレゼント表示部２が露出され、ここのプレゼントの概要説明２２を読むことで、プレゼントの中身を知ることができる。常態ではプレゼントの中身がわからないので、期待感を抱かせることができる。
【００１６】
そして、プレゼント表示部２には、コンテンツ配信者アドレス20とＩＤナンバー２１が記載されており、さらには、ダウンロード方法ないし手順などの使用説明２３が記載されているので、この記載にしたがって携帯電話機を使用して、希望するコンテンツ(ここでは着信メロディー)をプレゼントとして受領することができる。
図９はこの系統を示しており、受取者が自己の携帯電話でコンテンツ配信者アドレス２０を使って通信ネットワークＴにメール送信し、返信されるＵＲＬまたはＱＲコードからコンテンツ配信者のコンピューターＣにアクセスする。
【００１７】
コンピューターＣは、コンテンツをダウンロードするためのＷｅｂサーバー、ファイル転送用のＦＴＰサーバー、電子メール用のメールサーバ、判別手段、音楽コンテンツなどを備えており、受取者が指示に従ってＩＤナンバー２１を入力すれば、判別手段により有効性がチェックされ、正しいと判断されたときには、ウエブサーバーの着信メロディーダウンロードページに入る許可が与えられる。前記ダウンロードページには選択できる所定数たとえば３０曲の曲名が表示される。
そこで希望する曲を選択し、確認後、ダウンロード実行すれば、受取者のモバイルに選択した曲がプレゼントとしてダウンロードされる。したがって、グリーティングカードの価値を高めることができる。  なお、コンテンツをダウンロードするためのアクセス方法は、上記方法に限らず、カードに記載されているＵＲＬ所定のホームページに直接アクセスし、当該ホームページから希望する着信メロディーを選択してダウンロードしてもよい。
コンテンツ配信者のコンピューターＣにアクセスする手段は、携帯電話に限らず、コンピュータなど通信ネットワークであってもかまわない。
【図面の簡単な説明】
【００１８】
【図１】本考案にグリーティングカードの第１実施例を開披状態で示す表側の正面図である。
【図２】同じく裏側を示す背面図である。
【図３】隠蔽片を剥がした状態の背面図である。
【図４】第２実施例の表側の正面図である。
【図５】同じく裏側を示す背面図である。
【図６】隠蔽片を剥がした状態の背面図である。
【図７】第３実施例を折り畳み状態で示す正面図である。
【図８】同じく背面図である。
【図９】使用時のフローチャートを例示する説明図である。
【図１０】 
【符号の説明】
【００１９】
１  カード本体
２  プレゼント表示部
３  
４  隠蔽片
２０  コンテンツ配信者アドレス
２１  ＩＤナンバー
【図７】
0003108928.tif 000003
【図８】
0003108928.tif 000004
【図１】
0003108928.tif 000005
【図２】
0003108928.tif 000006
【図３】
0003108928.tif 000007
【図４】
0003108928.tif 000008
【図５】
0003108928.tif 000009
【図６】
0003108928.tif 000010
【図９】
0003108928.tif 000011
【手続補正書】
【提出日】平成16年12月10日(2004.12.10)
【手続補正１】
【補正対象書類名】明細書
【補正対象項目名】００１８
【補正方法】変更
【補正の内容】
【００１８】
【図１】本考案にグリーティングカードの第１実施例を開披状態で示す表側の正面図である。
【図２】同じく裏側を示す背面図である。
【図３】隠蔽片を剥がした状態の背面図である。
【図４】第２実施例の表側の正面図である。
【図５】同じく裏側を示す背面図である。
【図６】隠蔽片を剥がした状態の背面図である。
【図７】第３実施例を折り畳み状態で示す正面図である。
【図８】同じく背面図である。
【図９】使用時のフローチャートを例示する説明図である。
【手続補正２】
【補正対象書類名】図面
【補正対象項目名】図３
【補正方法】変更
【補正の内容】
【図３】
0003108928.tif 000012
【手続補正３】
【補正対象書類名】図面
【補正対象項目名】図６
【補正方法】変更
【補正の内容】
【図６】
0003108928.tif 000013